(57)【要約】【課題】  同一光源からの光を用いてＯＣＴ像の撮像と眼底像の撮像を交互に行う眼科撮像装置において、光学系の調整時に調整に用いられる表示像のスムーズな更新が求められている。【解決手段】  光源からの光で被検眼を走査し、第１の像と第２の像を光学系を介して取得する眼科撮像装置であって、前記第１の像と前記第２の像を画面に表示する表示手段と、前記光学系の調整を行う調整手段と、前記調整手段による調整時に、前記第１の像又は前記第２の像の表示の更新レートを変更する制御手段と有する。【選択図】  図４
2016101421.tif 000002
【特許請求の範囲】
【請求項１】
光源からの光で被検眼を走査し、第１の像と第２の像を光学系を介して取得する眼科撮像装置であって、
前記第１の像と前記第２の像を画面に表示する表示手段と、
前記光学系の調整を行う調整手段と、
前記調整手段による調整時に、前記第１の像又は前記第２の像の表示の更新レートを変更する制御手段と有することを特徴とする眼科撮像装置。
【請求項２】
前記光学系の調整は、フォーカス調整であることを特徴とする請求項１に記載の眼科撮像装置。
【請求項３】
前記光学系の調整は、コヒーレンスゲート調整であることを特徴とする請求項１に記載の眼科撮像装置。
【請求項４】
前記第１の像は眼底像であり、前記第２の像はＯＣＴ像であることを特徴とする請求項１に記載の眼科撮像装置。
【請求項５】
前記第１の像の近傍に表示された前記調整を指示するための第１の指標と、前記第２の像の近傍に表示された前記調整を指示するための第２の指標とを選択する選択手段とを更に有し、
前記制御手段は、前記選択手段により何れが選択されているか判断し、判断の結果に基づいて更新レートを変更することを特徴とする請求項１乃至４の何れか１項に記載の眼科撮像装置。
【請求項６】
前記第１の像と前記第２の像を得るために前記被検眼を走査する走査手段を更に有し、
前記制御手段は、前記走査手段により連続して走査されるラインの数を変更することにより更新レートを変更することを特徴とする請求項１乃至５の何れか１項に記載の眼科撮像装置。
【発明の詳細な説明】
【技術分野】
【０００１】
本発明は、眼科撮像装置に関し、特に眼科診療等に用いられる干渉光学系を有する眼科撮像装置に関するものである。
【背景技術】
【０００２】
現在、光学機器を用いた眼科用機器として、様々なものが使用されている。例えば、眼を観察する光学機器として、前眼部撮影機、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）等様々な機器が使用されている。
【０００３】
中でも、光干渉断層撮像装置（Ｏｐｔｉｃａｌ  Ｃｏｈｅｒｅｎｃｅ  Ｔｏｍｏｇｒａｐｈｙ：ＯＣＴ、以下ＯＣＴ装置と記す）は、被検体の断層像を高解像度に得る装置であり、眼科用機器として網膜の専門外来では必要不可欠な装置になりつつある。
【０００４】
ＯＣＴ装置は、低コヒーレンス光を被検体に照射し、被検体からの反射光を、干渉系を用いることで、被検体を高感度に測定する装置である。また、ＯＣＴ装置は低コヒーレンス光を、被検体上でスキャンすることで、断層像を高解像度に得ることができる。そのため、眼科用機器としてのＯＣＴ装置は、被検眼の眼底における網膜の断層像を高解像度に撮像することが可能であることから、網膜の眼科診断等において広く利用されている。
【０００５】
診断用の画像として、Ｂスキャン像とよばれるＯＣＴ装置で取得した網膜の断層像が一般的に用いられている。このＢスキャン像は、Ａスキャンと呼ばれる網膜の深さ方向（Ｚ方向）のスキャンをＸ方向に複数回行うことで得られる。このＢスキャン像でも、従来の眼底カメラ等の画像と比較しても網膜内部の状態が観察できるため、特に黄斑変性、黄斑円孔などの網膜内部の病変の観察には画期的である。
【０００６】
また、Ｂスキャン像をＹ方向に複数枚撮影し、３次元の網膜像を取得することもできる。網膜像を３次元で取得することにより、病変の広がり、網膜内の各層の観察、特に、緑内障の原因である視神経細胞層の観察などに威力を発揮する。
【０００７】
これらのＯＣＴ像を取得するときに、眼底像のどの位置の像を取得するかを指定することがＯＣＴ装置の重要な機能である。これは、眼の病気が主に、黄斑または乳頭と呼ばれる部位で発生するためである。
【０００８】
このため多くのＯＣＴ装置では、ＯＣＴ光学系とは別の光学系を用い、眼底像を取得している。
【０００９】
この装置の例として、ＳＬＯ（Ｓｃａｎｎｉｎｇ  Ｌａｓｅｒ  Ｏｐｈｔｈａｌｍｏｓｃｏｐｅ）と呼ばれる眼底像撮像装置が用いられている。ＳＬＯは、ＯＣＴ装置に比べてスキャンレートが早く、コントラスト、解像度も良好であるが、専用の光学系、部品が必要なため、高価になる。また、光学系がＯＣＴ光学系とは別なため、ＯＣＴ像と位置がずれることがある。このため、特許文献１に示すようなＯＣＴの３次元像から眼底像を作りだすＯＣＴ装置が提案されている。
【先行技術文献】
【特許文献】
【００１０】
【特許文献１】ＵＳＰ７３０１６４４号公報
【特許文献２】特開２０１３−１１６３８２号公報
【発明の概要】
【発明が解決しようとする課題】
【００１１】
通常、ＯＣＴ装置の撮像画面では、眼底上のどの位置のＯＣＴ像を取得するかを表示する眼底像、目的とするＯＣＴ像が得られているかを確認するＯＣＴプレスキャン像などの表示が必要である。特許文献１の様に、ＯＣＴの３次元像から眼底像を生成している場合、眼底像用のスキャンの合間に、ＯＣＴ像のためのスキャンを行っている。また、ＯＣＴの撮像画面での重要な作業として、ＯＣＴ像のフォーカス調整、コヒーレンスゲートと呼ばれる参照光の光路長の調整等の光学系の調整が必要である。
【００１２】
これらの調整は、ＯＣＴ像、眼底像のどちらを使用しても可能であり、操作者は、各人のやりやすい画像を用い、調整を行う。
【００１３】
上記の構成で、例えば、ＯＣＴ像を用いてこれらの調整を行うとすると、眼底像をＯＣＴ像から生成しているため、ＯＣＴ像の更新が遅くなり、調整しづらいという問題が起こる。
【００１４】
本発明の目的は、ＯＣＴ像の撮像のための調整を行い易くすることにある。
【課題を解決するための手段】
【００１５】
本発明の眼科撮像装置は、光源からの光で被検眼を走査し、第１の像と第２の像を光学系を介して取得する眼科撮像装置であって、前記第１の像と前記第２の像を画面に表示する表示手段と、前記光学系の調整を行う調整手段と、前記調整手段のよる調整時に、前記第１の像又は前記第２の像の表示の更新レートを変更する制御手段と有することを特徴とする。
【発明の効果】
【００１６】
本発明によれば、ＯＣＴ像の撮像のための調整を行い易くすることができる。
【図面の簡単な説明】
【００１７】
【図１】本実施形態におけるシステム全体のブロック図である。
【図２】ＯＣＴユニットのブロック図である。
【図３】制御部の機能ブロック図である。
【図４】本実施形態における処理を示すフローチャートである。
【図５】表示装置に表示される撮像画面の一例を示す図である。
【図６】本実施形態におけるスキャンの概念図である。
【発明を実施するための形態】
【００１８】
以下、本発明の実施形態について、図面を参照して詳細に説明する。なお、以下の実施形態は特許請求の範囲に関わる本発明を限定するものではなく、また、本実施形態で説明されている特徴の組み合わせの全てが本発明の解決手段に必須のものとは限らない。
【００１９】
（実施例）
図１に本実施の形態の眼科撮像装置のシステム全体のブロック図、図２にＯＣＴユニットのブロック図、図３に制御部の機能ブロック図、図４に制御部が実行するフローチャートを示す。これらの図を用い本発明の実施例を説明する。
【００２０】
＜ＯＣＴユニット＞
まず、ＯＣＴユニット１０１を、図２を用いて説明する。ＯＣＴユニット１０１は、低コヒーレンス光を参照光と信号光に分割し、被検眼１０６を経由した信号光と参照物体を経由した参照光とを重畳させて干渉光を生成し、生成した干渉光を分光した信号を検出する。検出した信号は制御部内のＣＰＵ３０１に入力される。ＣＰＵ３０１は、この検出した信号を解析して眼底の断層画像や３次元画像を生成する。
【００２１】
低コヒーレンス光源２０１は、低コヒーレンス光を出力する広帯域光源により構成され、広帯域光源としては本実施の形態においては、ＳＬＤ（Ｓｕｐｅｒ  Ｌｕｍｉｎｅｓｃｅｎｔ  Ｄｉｏｄｅ）を用いている。低コヒーレンス光は、近赤外領域の波長の光を含み、かつ、数十マイクロメートル程度のコヒーレンス長を有する光であり、たとえば約８００ｎｍ〜９００ｎｍの範囲に含まれる波長を有する。
【００２２】
低コヒーレンス光源２０１から出力された低コヒーレンス光は、光ファイバ２０２を通じて光カプラ２０３に導かれる。光ファイバ２０２は、シングルモードファイバで構成される。光カプラ２０３は、低コヒーレンス光を参照光と信号光とに分割する。
【００２３】
光カプラ２０３により分割された参照光は、光ファイバ２０４により導光されてコリメータレンズ２０５により平行光束とされ、信号光との分散の特性を合わせるための分散補償手段としてのガラスブロック２０６を経由し、参照ミラー２０７により反射される。反射された参照光は同じ光路を通り、光ファイバ２０４に入射され、光カプラ２０３に戻る。
【００２４】
また参照ミラー２０７は参照光の光軸方向に移動可能となっており、被検眼１０６の眼軸長や接眼レンズ１０５と被検眼１０６の距離などによる、参照光と信号光の光路長差を調節することが可能となっている。また、被検眼１０６上で参照ミラー２０７の光学距離と同じ位置をコヒーレンスゲートと呼び、この位置を調節することで眼底のＯＣＴ像を得ることができる。
【００２５】
一方、光カプラ２０３により分割された信号光は、光ファイバ２０８により図１に示すＯＣＴスキャナ１０３，１０４、接眼部１０５に送られる。被検眼１０６の眼底の網膜で反射、散乱された信号光は、光ファイバ２０８に再入力される。光ファイバ２０８を通り、光カプラ２０３に導入された信号光は、参照光と干渉され干渉信号となる。干渉信号は、光ファイバ２０９通り、コリメータレンズ２１０で平行光となった後、回折格子２１１で分光され、レンズ２１２により１次元センサ２１３に結像される。１次元センサ２１３はＣＣＤセンサやＣＭＯＳセンサなどを用いることができる。１次元センサ２１３からは、干渉光を分光した信号を得ることができる。
【００２６】
＜ＯＣＴスキャン、接眼部＞
ＯＣＴのスキャン機構を、図１を用いて説明する。ＯＣＴユニット１０１からの信号光はコリメータレンズ１０２により平行ビームになりＯＣＴ―Ｘスキャナ１０３、ＯＣＴ―Ｙスキャナ１０４を通る。次に接眼レンズ１０５を通り、被検眼１０６に入射する。被検眼１０６に入射したビームは、眼底で反射散乱され、同一光路をたどり、ＯＣＴユニット１０１まで戻る。
【００２７】
＜制御部＞
次に、制御部の機能について、図３を用いて説明する。
【００２８】
中央演算装置（ＣＰＵ）３０１は、表示装置３０２、主記憶装置（ＲＡＭ）３０３、プログラム格納装置（ＲＯＭ）３０４、外部記憶装置（ＨＤＤ）３０５に接続されている。さらにＯＣＴユニット１０１の出力である１次元センサ２１３からのデータを受ける１次元センサインターフェイス３０６、スキャナコントロールとしてのＯＣＴスキャナ制御回路３０７に接続されている。
【００２９】
ＯＣＴスキャナ制御回路３０７は、ＯＣＴスキャナドライバ（Ｘ）３０８、ＯＣＴスキャナドライバ（Ｙ）３０９によりＯＣＴのスキャナ１０３、１０４をコントロールし、ＣＰＵ３０１からの指令により、Ｘ、Ｙ方向のスキャン中心位置、Ｘ、Ｙ方向のスキャン幅、スキャンレート等をコントロールする。またＣＰＵ３０１は、ＯＣＴスキャナ制御回路３０７からＯＣＴ信号光のスキャン位置を知ることができる。
【００３０】
参照ミラー駆動回路３１０は、参照ミラー駆動ドライバ３１１により参照ミラー２０７を光軸方向に移動させることができ、このことでコヒーレンスゲートの調整を行うことができる。
【００３１】
接眼レンズ駆動回路３１２は、接眼レンズ駆動ドライバ３１３により接眼レンズ１０５を光軸方向に移動させることができ、このことで、参照光を網膜上にピントを合わせることができる。
【００３２】
なお、ＣＰＵ３０１は、プログラム格納装置３０４に格納したプログラムにより、装置の制御を実行する。
【００３３】
＜ＯＣＴ処理＞
ＯＣＴ像の撮像のための処理を以下に述べる。
【００３４】
ＣＰＵ３０１は、ＯＣＴスキャナ制御回路３０７に対し、Ｘ，Ｙスキャン中心位置、スキャンスピード、Ｘ、Ｙ方向のスキャン幅、主走査方向を設定することにより、ＯＣＴユニット１０１からの信号光は網膜上をスキャンする。この時、ＯＣＴユニット１０１の１次元センサ２１３の出力は１次元センサインターフェイス３０６を通しＣＰＵ３０１に入力される、ＣＰＵ３０１は。プログラム格納装置３０４のプログラムに従い、主記憶装置３０３上で、周波数、波数変換ＦＦＴなどの処理を行い、網膜の深さ方向の情報を得る。この情報と、ＯＣＴスキャナ制御回路３０７からの位置情報から、Ｂスキャン像や３次元の網膜像を得ることができ、この像を表示装置３０２に表示することで、これらの像を確認することができる。
【００３５】
また、１次元センサ２１３の出力を合算することにより、眼底像の１ドット分のデータを得ることができる。これを、３次元の網膜像を取得するのと同様にＸ，Ｙスキャンすることにより、眼底像を得ることができる。
【００３６】
図６に眼底像と、ＯＣＴプレスキャン像の取得シーケンスを示す。
【００３７】
眼底像用のスキャン６０１が設定された本数ｎになったとき、ＯＣＴプレスキャン６０２をおこない、これが終了すると続きの眼底像用のスキャン６０２を行う、以上を繰り返すことにより、眼底像、ＯＣＴプレスキャン像を交互に撮影することができる。また、これらの取得レートはｎを変更することにより変更できる。つまり、ｎを大きくすると眼底像用のスキャンレートが大きくなり、少なくするとＯＣＴプレスキャンのスキャンレートを大きくすることができる。これにより調整に使用する像の表示の更新レートを変更することができる。なお、本実施例において、眼底像の画素数Ｘ×Ｙは４００×４００とし、ｎ＝５０を初期値とする。すなわち、スキャンラインを５０ライン連続して走査することを意味している。
【００３８】
＜表示部＞
図５に眼科撮像装置の表示装置３０２の表示される撮像時の撮像画面５０１の例を示す。撮像画面５０１において、前眼部表示ウインドウ５０２には図示しない前眼部撮像部により撮像された前眼部像が表示され、瞳が中央部に表示されることで、信号光の光軸が眼の中に入ることを確認する。眼底表示ウインドウ５０３には眼底像が表示される。ＯＣＴ像表示ウインドウ５１１、５１２、５１３にはＯＣＴプレスキャン像が表示される、ＯＣＴ像表示ウインドウ５１１、５１２、５１３にはそれぞれ、眼底のスキャン領域（撮像領域）の中央部、上端部、下端部のＯＣＴプレスキャン像が表示される。眼底の上端部、下端部は、図５に示す様に中央部より曲りが大きく、ＯＣＴ像が撮像領域からはみだしていないかを確認するのに用いている。
【００３９】
指標として眼底像表示ウインドウ５０３の近傍に表示される眼底像用ゲート調整スライダー５０５は、眼底像を用いたコヒーレンスゲート調整を行うときに用いるもので、操作者が不図示のマウスにより調整できる。指標として眼底像表示ウインドウ５０３の近傍に表示される眼底像用フォーカス調整スライダー５０７は、眼底像を用いたフォーカス調整を行うときに用いるもので、操作者がマウスにより調整できる。
【００４０】
指標としてＯＣＴ像表示ウインドウ５１１、５１２，５１３の近傍に表示されるＯＣＴ像用ゲート調整スライダー５０６は、ＯＣＴ像を用いたコヒーレンスゲート調整を行うときに用いるもので、操作者がマウスにより調整できる。指標としてＯＣＴ像表示ウインドウ５１１、５１２，５１３の近傍に表示されるＯＣＴ像用フォーカス調整スライダー５０８は、ＯＣＴ像を用いたフォーカス調整を行うときに用いるもので、操作者がマウスにより調整できる。
【００４１】
また、眼底像用ゲート調整スライダー５０５とＯＣＴ像用ゲート調整スライダー５０６は同時には使用できないため、片方が選択されているときは、他方は使用できなくなる。図５では、眼底像用ゲート調整スライダー５０５が選択された状態（ハイライト状態）を表している。
【００４２】
同様に、眼底像用フォーカス調整スライダー５０７とＯＣＴ像用フォーカス調整スライダー５０８は、同時には使用できないため、片方が選択されたときは、他方は使用できなくなる。図５では、眼底像用フォーカス調整スライダー５０７が選択された状態（ハイライト状態）を表している。
【００４３】
開始ボタン５０９は眼底像の表示、ＯＣＴプレビュー像の表示を指示するボタンで、通常、前眼部表示ウインドウ５０２で、瞳が中央部にあることを確認したのちに、操作者がマウスにより押下する。
【００４４】
撮像ボタン５１０はＯＣＴ像の撮像を指示するボタンで、通常、前述の表示像により、目的とするＯＣＴ像が撮像できる状態になったと判断されたときに、操作者がマウスにより押下する。
【００４５】
＜本実施例の処理＞
本実施例の光学系の調整時の処理を図４のフローチャートに従い説明する。
【００４６】
まず、処理を開始４０１すると、処理４０２で前眼部表示ウインドウ５０２に前眼部像を表示する。
【００４７】
操作者は、前眼部表示ウインドウ５０２の中央部に瞳が表示されたことを確認すると、開始ボタン５０９を押下する。ＣＰＵ３０１は、判断４０３で開始ボタン５０９が押されたことを検知すると、処理４０４で眼底像、ＯＣＴプレビュー像を交互に取得し、それぞれを眼底表示ウインドウ５０３、ＯＣＴ像表示ウインドウ５１１、５１２、５１３に表示する。
【００４８】
操作者はまず、光学系の調整としてコヒーレンスゲート調整のために、眼底像用ゲート調整スライダー５０５もしくはＯＣＴ像用ゲート調整スライダー５０６のどちらかを選択し、選択したスライダーを用い、コヒーレンスゲート調整を行う。ＣＰＵ３０１は、処理４０５でどのスライダーが選択されたか判断し、処理４０６で、選択された像の取得レートを早くし、調整のために、参照ミラー２０７もしくは接眼レンズ１０５を移動させる。この例では、眼底像用ゲート調整スライダー５０５が選択され、参照ミラーが駆動される。そのため、例えばｎ＝５０を、ｎ＝１００へ変更してスキャンラインを１００ライン連続して走査し、眼底像表示ウインドウ５０３の表示の更新レートを速くする。また、ＯＣＴ像用ゲート調整スライダー５０６が選択された場合は、ｎ＝５０を、ｎ＝２５へ変更して連続して走査するラインを減らすことにより、結果として、ＯＣＴ像表示ウインドウ５１１、５１２、５１３の表示の更新レートを速くする。
【００４９】
次に、操作者は、光学系の調整としてフォーカス調整のために眼底像用フォーカス調整スライダー５０７もしくはＯＣＴ像用フォーカス調整スライダー５０８どちらかを選択し、選択したスライダーを用い、フォーカス調整を行う。ＣＰＵ３０１はコヒーレンスゲート調整と同様の処理を行う。この例では眼底像用フォーカス調整スライダー５０７が選択され、接眼レンズ１０５が駆動される。
【００５０】
操作者は、光学系の調整が終了し、所望のＯＣＴ像が取得できることを確認すると撮像ボタンを押下する。ＣＰＵ３０１は、処理４０８により指示に基づきＯＣＴ像を撮像し、処理を終了４０９する。
【００５１】
このように、選択に応じて対応するウインドウの更新レートを速くすることにより、ゲート調整・フォーカス調整の結果が、表示画面にスムーズに反映され、調整時の作業がスムーズに行われる。
【００５２】
なお、網膜のＯＣＴ像の撮像時の処理について述べたが、前眼部ＯＣＴ撮像についても同様に実施できる、この場合は、眼底像を前眼部像、に置き換えれば、処理で実現できる。
【図１】
2016101421.tif 000003
【図２】
2016101421.tif 000004
【図３】
2016101421.tif 000005
【図４】
2016101421.tif 000006
【図５】
2016101421.tif 000007
【図６】
2016101421.tif 000008